(57)【特許請求の範囲】
【請求項１】
天板受に天板を取り付けるにあたり、前記天板受より上方に向けて第１、第２の係り合い部を、駆動機構によるねじ送り操作を通じて互いに相寄る方向又は相離れる方向に相対移動可能な状態で突設し、前記駆動機構は、ねじ送り操作をしない状態で両係り合い部とともに全体がねじ送り方向に遊動可能に配置されており、天板の下面に開口部を設け、その開口部に両係り合い部を挿入して駆動機構によりねじ送りすることによって、開口部の最寄の縁部又は背向する縁部に両係り合い部を係り合わせて天板を天板受に取り付けるようにしたことを特徴とする天板取付構造。
【請求項２】
天板を天板受に対してねじ送り方向に固定するための固定部を、当該天板と天板受との間に設けている請求項１記載の天板取付構造。
【請求項３】
固定部が、天板を天板受に載せ置く際に天板と天板受との間に形成される凹凸関連部である請求項２記載の天板取付構造。
【請求項４】
駆動機構が、第１の係り合い部に貫通孔を設け、第２の係り合い部にねじ孔を設けて、ねじ部材を、第１の係り合い部を貫通して第２の係り合い部に螺合させたものである請求項１〜３のいずれかに記載の天板取付構造。
【請求項５】
ねじ部材は、頭部に回転力入力端を設けられ、一部を第１の係り合い部に設けたリテーナ部に押し当てた状態で回転することによりねじ送りを行うように構成されているとともに、その頭部に隣接させて前記第１の係り合い部に頭部押えを設け、この頭部押えに、前記回転力入力端を回転力入力側に開放するための頭部よりも内寸の小さい開放窓を設けている請求項４記載の天板取付構造。
【請求項６】
請求項１〜５のいずれかに記載の天板取付構造を利用して、一対の平行配置された脚の天板受にそれぞれ天板の両縁部を取り付けてなることを特徴とする天板付家具。
【請求項７】
請求項１〜５のいずれかに記載の天板取付構造を利用して、一対の交叉配置された脚の天板受にそれぞれ天板の対応部位を取り付けるようにしていることを特徴とする天板付家具。
【発明の詳細な説明】
【技術分野】
【０００１】
本発明は、脚に天板を、簡単な操作で取り付け可能とし、位置決めも的確に行えて、異形天板の取付等にも適切に対応し得るようにした天板取付構造及びこれを利用した天板付家具に関するものである。
【背景技術】
【０００２】
例えば、脚に天板を取り付ける構造として、特許文献１に示すもの等が知られている。このものは、脚のステーの上端に固定爪を設ける一方、天板の下面にスリットを開口し、スリットに固定爪を挿入した状態で後端部側をねじで引き寄せながら天板をスライドさせることによって、固定爪をスリットに係り合わせて、天板を脚に取り付けるようにしている。
【０００３】
また、特許文献２に示すものは、脚支柱の上端に固定爪と可動爪を設ける一方、脚の外壁の外側にグリップ式のねじ部材を取り付け、このねじ部材を可動爪に螺合させて駆動機構を構成している。そして、グリップを操作することによって、外壁を足場にして可動爪を螺進退させ、固定爪及び可動爪を天板の開口に係り合わせるようにしている。
【特許文献１】特許第２６３００４８号公報
【特許文献２】特許第２７１３１９９号公報
【発明の開示】
【発明が解決しようとする課題】
【０００４】
ところが、何れのものも、ねじを締め込む際には天板が引きずられるため、工具等により操作する際の操作抵抗が大きく、天板が大型になるほど適切な操作が難しくなる場合がある。
【０００５】
また、固定爪や可動爪がテーパ状をなしている場合、ねじを締めるに従って天板の開口に食い込むように密着し、食い込みに従って天板が更に微動するため、天板の奥行き方向の位置が正確に定まらないという問題もある。
【０００６】
さらに、例えば図１０に示すように、一対の平行配置された脚ａ１、ａ２に天板ｂの両縁部ｂ１、ｂ２を取り付ける場合に、一方の脚ａ１における天板ｂの取付時に天板ｂの一方の縁部ｂ１が矢印Ｘ１に示すように先に引きずられると、天板ｂが想像線Ｘ２に示すように僅かに水平旋回を引き起こし、その結果、脚ａ１、ａ２の爪と天板両縁部ｂ１、ｂ２の開口との位置関係が狂って脚ａ１、ａ２への天板ｂの取付が適正さを欠くことになる場合がある。まして、例えば図１１に示すように、直交配置された脚ｃ１、ｃ２に異形天板ｄの両縁部ｄ１、ｄ２を取り付けるような場合には、一方の脚ｃ１における天板ｄの取付時に天板ｄの一方の縁部ｄ１が矢印Ｙ１に示すように先に引きずられると、他方の脚ｃ２における天板ｄと脚ｃ２がＹ１とほぼ同じＹ２方向（すなわち、脚ｃ２の爪と天板縁部ｄ２の開口との係合方向と直交する方向）にずれるので、脚ｃ２への天板ｄの取付自体が困難となる事態も予想される。
【０００７】
本発明は、このような課題に着目してなされたものであって、脚に天板を、簡単な操作を通じて適切に取り付け可能とし、位置決めも的確に行えて、異形天板の取付等にも有効に対応し得るようにした天板取付構造及び天板付家具を提供することを目的としている。
【課題を解決するための手段】
【０００８】
本発明は、かかる目的を達成するために、次のような手段を講じたものである。
【０００９】
先ず、本発明の天板取付構造は、天板受に天板を取り付けるにあたり、前記天板受より上方に向けて第１、第２の係り合い部を、駆動機構によるねじ送り操作を通じて互いに相寄る方向又は相離れる方向に相対移動可能な状態で突設し、前記駆動機構は、ねじ送り操作をしない状態で両係り合い部とともに全体がねじ送り方向に遊動可能に配置されており、天板の下面に開口部を設け、その開口部に両係り合い部を挿入して駆動機構によりねじ送りすることによって、開口部の対向する縁部又は背向する縁部に両係り合い部を係り合わせて天板を天板受に取り付けるようにしたことを特徴とする。
【００１０】
このような構成により、天板受に天板を載せ置いた後、駆動機構のねじ送り操作を行い、これに伴い両係り合い部が相対動作を行うと、たとえ何れか一方の係り合い部が先に対応する天板の開口縁部に係り合っても、必要に応じて駆動機構全体が遊動しながら、残りの係り合い部が対応する天板の開口縁部に向かって移動することになる。つまり、天板を、その開口に両係り合い部を受容する位置に適切に載せ置きさえすれば、それ以後は天板は動くことなく、両係り合い部が必要な場所まで動いて成り行きで締まることになる。このため、ねじ送りの際に天板を引きずることがなく、軽快な操作性の下に天板を脚に平易に取り付けることができる。したがって、大型天板等には特に有効なものとなる。
【００１１】
天板を脚に確実に固定するためには、天板を天板受に対してねじ送り方向に固定するための固定部を、当該天板と天板受との間に設けおくことが好ましい。ここに言う固定部は、ねじ送りにより締め付けた後にする固定も含まれる。
【００１２】
但し、天板を所定の位置に確実に位置決めするためには、固定部が、天板を天板受に載せ置く際に天板と天板受との間に形成される凹凸関連部であることが望ましい。
【００１３】
駆動機構の簡素な構成としては、第１の係り合い部に貫通孔を設け、第２の係り合い部にねじ孔を設けて、ねじ部材を、第１の係り合い部を貫通して第２の係り合い部に螺合させているものが挙げられる。
【００１４】
ねじ部材が、頭部に回転力入力端を設けられ、一部を第１の係り合い部に設けたリテーナ部に押し当てた状態で回転することによりねじ送りを行うように構成されている場合に、ねじ部材に対する入力で両係り合い部を確実に相対動作させるためには、その頭部に隣接させて前記第１の係り合い部に頭部押えを設け、この頭部押えに、前記回転力入力端を回転力入力側に開放するための頭部よりも内寸の小さい開放窓を設けておくことが望ましい。
【００１５】
以上のような天板取付構造を利用して、一対の平行配置された脚の天板受にそれぞれ天板の両縁部を取り付ければ、係り合い部と開口との位置関係を狂わせることなく、天板の何れの縁部においても当該天板を脚に適正に取り付けることが可能となる。
【００１６】
また、以上のような天板取付構造を利用して、一対の交叉配置された脚の天板受にそれぞれ天板の対応部位を取り付ければ、一方の脚における天板の取付時に他方の天板を引きずることなく、何れの脚と天板との間においても、当該天板を脚に適正に取り付けることが可能となる。
【発明の効果】
【００１７】
本発明は、以上説明した構成であるから、ねじ送りに伴って天板と脚との相対位置を狂わせることなく天板を脚に取り付けることができるので、特に大型天板の脚への取り付けや、異形天板の脚への取り付けを、軽快な操作を通じて簡単、適切に行うことができるという優れた効果が奏されるものとなる。
【発明を実施するための最良の形態】
【００１８】
以下、本発明の一実施形態を、図面を参照して説明する。
【００１９】
図１及び図２は、この実施形態の取付構造が適用される天板付家具たるデスクを示している。このデスクは、一対の脚１，１の間を補強メンバを兼ねる天板２及び背板３で連結して構成されるものである。
【００２０】
脚１は脚側板１１の上下両端より前方に延びるステー部１２及びベース部１３を備えたもので、ステー部１２には図２及び図３に示すように、天板受１ｘより上方に向けて第１の係り合い部たる前可動爪１０２及び第２の係り合い部たる後可動爪１０３が突設してある。
【００２１】
具体的には、前記ステー部１２は図４及び図５に示すように上方に開口するチャネル状の上補強部１２０を鋼板１２５で覆って中空部を形成しているもので、その上補強部１２０内に、両可動爪１０２，１０３の基端を構成する一対の作動部４１、４２をステー部１２の長手方向に沿って摺動可能に配置している。
【００２２】
両作動部４１，４２には、それぞれ図４、図５及び図７に示すような対向壁４１ａ、４２ａが形成してあり、前者の対向壁４１ａにステー部１２の長手方向に沿った貫通孔４１ｂを設け、後者の対向壁４２ａにおける前記貫通孔４１ｂの軸心上にナットを取り付けてねじ孔４２ｂを設け、さらに前方から貫通孔４１ｂに挿し通したねじ部材４３の先端をねじ孔４２ｂに螺合させている。すなわち、これら貫通孔４１ｂを有する作動部４１、ねじ孔４２ｂを有する作動部４２及びねじ部材４３が主体となって駆動機構４を構成している。
【００２３】
この駆動機構４はステー１２内に長手方向に沿って配置され、ねじ送り操作をしない場合にも両作動部４１，４２（したがって両可動爪１０２，１０３）はねじ部材４３とともに全体がねじ送り方向に遊動可能な状態で配される。貫通孔４１ｂの孔径はねじ部材４３の頭部４３ａよりも小径に設定されており、ねじ部材４３の頭部４３ａには工具を係り合わせることのできる六角穴等の操作力入力端４３ｘが設けられている。また、作動部４１には、ねじ部材４３を貫通孔４１ｂに挿し通した状態で操作力入力端４３ｘを前方に開放するための開放窓４４ａを有した板状の頭部押え４４が設けられている。ねじ部材４３は、頭部押え４４の孔４４ａを介して図６に示すように前方から挿入した工具Ｐによって回転操作される。
【００２４】
図４および図５に示すように、前可動爪１０２は、ステー部１２の前端付近に設けたスリット１２ａを通過して天板受１ｘより上方に突出させたもので、先端部１２１を後方に向けて逆Ｌ字形に屈曲させている。この前可動爪１０２の先端部１２１の下縁１２１ａはステー部１２の上向面に対して傾斜したテーパ状をなしている。
【００２５】
また、後可動爪１０３は、ステー部１２の後端から脚側板１１に亘る付近に設けたスリット１２ｂを通過して天板受１ｘより上方に突出させたもので、先端部１３１を前方に向けて逆Ｌ字形に屈曲させている。この後可動爪１０３の先端部１３１の下縁１３１ａはステー部１２の天板受１ｘに対して傾斜したテーパ状をなしている。
【００２６】
そして、ねじ部材４３を回転させるための回転力入力端４３ｘを、ねじ部材４３に沿って図２に示すステー部１２の前方に表出させ得るようにしており、そのステー部１２の前方に、非操作時にキャップｃ１が装着されるようにしている。
【００２７】
なお、天板受１ｘの所要箇所、この実施形態では前可動爪１０２と後可動爪１０３の間に、上方に向けて位置決め突起１０を突設している。
【００２８】
一方、天板２は、図２に示すように、面板部２１を前枠２２、後枠２３及び左右の側枠２４で補強したもので、この側枠２４の下面における前後に離間した２箇所に、それぞれ開口たる一対のスリット２０２，２０３を形成している。前後のスリット２０２，２０３は図３に示すように相寄る方向に向かって漸次開口巾ｄが狭くなるテーパ状をなしている。また、天板２を脚１の所定位置に載せ置くべく、前記位置決め突起１０の対応位置には位置決め穴２０が開口している。
【００２９】
そして、図６に示すように、ステー部１２から脚側板１１に亘る部位に設定した天板受１ｘ上に天板２を、それらのスリット２０２，２０３に前可動爪１０２及び後可動爪１０３を挿入しつつ載せ置き、その際に、位置決め穴２０に位置決め突起１０を差し込んで本発明の固定部たる凹凸関連部Ｘを構成する。そして、その状態から前記ねじ部材４３に電動工具Ｐ等を係り合わせて駆動することによって、両可動爪１０２，１０３を互いに相寄る方向に駆動し、これにより前可動爪１０２を対応するスリット２０２の後縁に、また後可動爪１０３を対応するスリット２０３の前縁にそれぞれ係り合わせて、天板２を天板受１ｘ上に固定する。
【００３０】
その際の動作について説明すると、先ず両可動爪１０２，１０３を適度に離間した部位に位置づけた状態で、スリット２０２，２０３を通過させ、図７（ａ）に示すように天板受１ｘ上に天板２を載せ置く。このとき、スリット２０２，２０３に対して可動爪１０２，１０３の位置は定まらない。次に、図６に示したように電動工具Ｐを前方からねじ部材４３の操作力入力端Ｘに差し込むと、特に摩擦の大きい箇所がなければその工具Ｐの押し付け力で駆動機構４全体は後方へ移動して同図（ｂ）に示すように後可動爪１０３がスリット２０３の後縁ｒに突き当たる。そして、その位置から実質的にねじ孔４２ｂに対するねじ部材４３のねじ込みが始まる。これにより、同図中矢印で示すように前可動爪１０２がねじ部材４３の頭部４３ａに付勢されて後方に移動し、スリット２０２の後縁２０２ｒに係り合う。但し、スリット２０２は途中から巾狭になっているため、前可動爪１０２がスリット２０２の後縁２０２ｒに達する前に後可動爪１０３が前方に移動し始めることも予想される。何れにせよ、ねじ送りにより両可動爪１０２，１０３の距離が次第に縮まってゆき、最終的には同図（ｃ）のように両可動爪１０２，１０３が互いに相寄る方向に移動して、前可動爪１０２がスリット２０２の後縁２０２ｒに、また後可動爪１０３がスリット２０３の前縁２０３ｆにそれぞれ係り合うことになる。
【００３１】
つまり、天板１を、そのスリット２０２，２０３に両可動爪１０２，１０３を受容し且つ位置決め穴２０に位置決め突起１０を受容して天板受１ｘ上に適切に載せ置きさえすれば、それ以後、天板１は動くことなく、両可動爪１０２，１０３が必要な場所まで動いて成り行きで締まることになる。
【００３２】
このとき、可動爪１０２，１０３の先端部下縁が延出方向にテーパ状をなしているとともに、スリット２０２，２０３の開口巾が可動爪１０２，１０３が移動するにつれて漸次狭小となっているため、可動爪１０２，１０３の先端下縁１２１ａ、１３１ａが開口縁に次第に食い込むように係り合うことで前後方向に強連結されると同時に、可動爪１０２，１０３がスリット２０２，２０３の巾狭な部分に食い込むように係り合うことで天板２と脚１は前後方向にも巾方向にも強連結されることになる。
【００３３】
ステー１２の前端は図１に示すキャップｃ１を装着しない状態では前方に開口して、その開口の奥にねじ部材４３のねじ頭４３ａが待機した状態にあるため、以上の操作は前方からその操作力入力端４３ｘに電動工具Ｐ等を差し込んでねじ部材４３を駆動することにより、天板２を支持する左右の脚１、１それぞれにつき１回の作業で天板２の脚１への連結を完了することができる。
【００３４】
以上において、可動爪１０２，１０３はそれぞれ対をなしており、天板２のフック孔２０２，２０３もそれぞれ対をなしていて、脚１の天板受１ｘ上に天板２を載せ置き、可動爪１０２，１０３をそれぞれ各天板２のフック孔２０２，２０３に係り合わせることができる。そして、前述したように、フック孔２０２，２０３は両可動爪１０２，１０３が係り合う方向に向かって漸次巾狭になっているため、可動爪１０２，１０３がフック孔２０２，２０３に食い込むに従って左右の天板２、２を巾方向にも強連結することができる。
天板２を外す必要がある場合には、電動工具Ｐによってねじ部材４３を逆方向に駆動することになるが、図７（ｃ）の状態で可動爪１０２，１０３がフック孔２０２，２０３に食い込んだ状態になり、しかも頭部押さえ４４がないとすると、ねじ部材４３がねじ孔４２ｂに送り出される際に、可動爪１０２，１０３が動くことなくねじ部材４３のみが前方に移動することが考えられる。これに対して、この実施形態では、頭部押さえ４４によってこのようなねじ部材４３の動きを防止しているので、ねじ送り操作は確実に両可動爪１０２，１０３の離反動作につながることになる。
【００３５】
なお、この実施形態では、図２及び図８に示すように、脚１の後面１ｙに上可動爪１１２と下固定爪１１３が後方に向けて突設してあり、これらは先端を背向する方向に逆Ｌ字形に屈曲させてある。そして、背板３に設けたスリット３０２，３０３にそれらの爪１１２，１１３を受容するようにして背板３を左右の脚１の後面１ｙに添設し、上方から上可動爪１１２をねじ部材１４３を通じてねじ送りすることによって、脚１と背板３の間を連結できるようにしている。
【００３６】
以上のように、本実施形態の天板取付構造は、天板受１ｘに天板２を取り付けるにあたり、天板受１ｘより上方に向けて第１、第２の係り合い部たる前可動爪１０２及び後可動爪１０３を、駆動機構４によるねじ送り操作を通じて互いに相寄る方向又は相離れる方向に相対移動可能な状態で突設し、駆動機構４は、ねじ送り操作をしない状態で両可動爪１０２，１０３とともに全体がねじ送り方向に遊動可能に配置されているものである。そして、天板２の下面に開口部たるスリット２０２，２０３を設け、そのスリット２０２，２０３に両可動爪１０２，１０３を挿入して駆動機構４によりねじ送りすることによって、スリット２０２，２０３の最寄の縁部に両可動爪１０２，１０３を係り合わせて天板２を天板受１ｘに取り付けるようにしている。
【００３７】
このような構成により、天板受１ｘに天板２を載せ置いた後、駆動機構４のねじ送り操作を行い、これに伴い両可動爪１０２，１０３が相対動作を行うことで、両可動爪１０２，１０３の何れが先に対応するスリット２０２又は２０３の開口縁部に係り合っても、必要に応じて駆動機構４全体が遊動しながら、可動爪２０２、２０３の残りの方が対応するスリット２０２又は２０３の開口縁部に向かって移動することになる。つまり、天板２を、その開口たるスリット２０２，２０３に両可動爪１０２，１０３を受容する位置に適切に載せ置きさえすれば、それ以後は天板２は動くことなく、両可動爪２０２，２０３が成り行きに応じて必要な場所まで動いて締まることになる。このため、ねじ送りの際に天板２を引きずることがなく、軽快な操作性の下に天板２を脚１に平易に取り付けることができる。したがって、大型天板等には特に有効な取付構造となり得る。
【００３８】
その際、両可動爪１０２，１０３を天板２のスリット２０２，２０３の開口縁に係り合わせた状態では、天板２、可動爪１０２，１０３、駆動機構４が一体となって脚１からの浮き上がりを防止するものの、いまだ一体となってねじ送り方向に動き得る。これに対して、本実施形態では、天板２を天板受１ｘに対してねじ送り方向に固定するための固定部たる凹凸関連部Ｘを、当該天板２と天板受１ｘとの間に設けているので、天板２を脚１の所要の位置に確実に固定することができる。この凹凸関連部Ｘが天板２を引きずることがないのは勿論である。
【００３９】
特に、この固定部たる凹凸関連部Ｘは、天板２を天板受１ｘに載せ置く時点で天板２と天板受１ｘとの間に形成されるため、この時点で天板２の位置が定まり、その位置を基準として両可動爪１０２，１０３が成り行きで締まるので、天板２を所定の位置に確実に位置決めすることができ、強く締め付けても天板２の位置が狂うことがなく、位置決め精度を有効に高めることができる。
【００４０】
また、駆動機構４が、第１の係り合い部である前可動爪１０２の一部に貫通孔４１ｂを設け、第２の係り合い部である後可動爪１０３の一部にねじ孔４２ｂを設けて、ねじ部材４３を、前可動爪１０２の貫通孔４１ｂを貫通して後可動爪１０３のねじ孔４２ｂに螺合させるようにしているので、駆動機構４を簡素に構成することができる。
【００４１】
そして、ねじ部材４３は、頭部４３ａに回転力入力端４３ｘを設けられ、一部を第１の係り合い部である前可動爪１０２に設けたリテーナ部としての機能を担う対向壁４１ａに押し当てた状態で回転することによりねじ送りを行うように構成されているとともに、その頭部４３ａに隣接させて前可動爪１０２の一部に頭部押え４４を設け、この頭部押え４４に、回転力入力端４３ｘを回転力入力側に開放するための頭部４３ａよりも内寸の小さい開放窓４４ａを設けている。
【００４２】
すなわち、仮に頭部押え４４がないとして、後可動爪１０３に着目した場合、ねじ部材４３を緩める際にねじ部材４３のみが反力を受けて前方に移動したのでは、両可動爪１０２、１０３の相対動作が得られない。これに対して、このような頭部押え４４を設けると、これを足場にして両可動爪１０２，１０３は確実に離反動作を行うことになるため、天板２の取り外しを確実に行うことができる。
【００４３】
そして、このような天板取付構造を利用して、一対の平行配置された脚１，１の天板受１ｘにそれぞれ天板２の両縁部を取り付けるようにしているので、一方の脚１に対する天板２の取付時に天板２を引きずることがないため、図１０に示したように天板ｂが水平旋回して係り合い部と開口との位置関係が微妙にずれる事態を有効に解消することが可能となる。
【００４４】
なお、各部の具体的な構成は、上述した実施形態のみに限定されるものではない。
【００４５】
例えば、可動爪の先端を上記とは逆向きに折り曲げ、可動爪が相離れる方向に相対移動することによって開口部たるスリットの背向する縁部（遠い側の縁部）に係り合わせるようにしてもよい。
【００４６】
また、上記の天板取付構造を利用して、図９に示すように一対の交叉配置した脚１００，１００の天板受１００ｘ、１００ｘにそれぞれ天板２００の対応部位を取り付けるようにすることも有効である。ここでも、図示しないが前述した第１、第２の係り合い部たる可動爪１０１，１０２と同様の可動爪、及び、開口たるスリット２０２，２０３と同様のスリットを天板受け１００ｘ側と天板２００側に設けておき、位置決め用の突起と凹部を天板受け１００ｘ側と天板２００側に設けておく。
【００４７】
これによれば、図１１に示したように一方の脚ｃ１における天板縁部ｄ１の取付時に図中矢印Ｙ１のように天板ｄを引きずるといったことがなく、他方の脚ｃ２及び天板縁部ｄ２に図中矢印Ｙ２で示すような影響力が及ぶ不都合がないので、何れの脚１００と天板２００の縁部との間においても、当該天板２００を脚１００に適正に取り付けることが可能となる。
【００４８】
その他の構成も、本発明の趣旨を逸脱しない範囲で種々変形が可能である。
【図面の簡単な説明】
【００４９】
【図１】本発明の一実施形態を適用したデスクの斜視図。
【図２】同デスクを構成する天板と脚の関係を示す分解斜視図。
【図３】図１の脚の拡大斜視図。
【図４】図３の分解斜視図。
【図５】脚の部分縦断面図。
【図６】脚への天板の取付の様子を示す図。
【図７】同実施形態における天板取付構造の作用説明図。
【図８】同脚の後面を示す斜視図。
【図９】本発明の他の適用例を示す斜視図。
【図１０】従来の取付構造の不具合を説明するための図。
【図１１】従来の取付構造の不具合を説明するための図。
【符号の説明】
【００５０】
１ｘ…天板受け
２…天板
４…駆動機構
４１ｂ…貫通孔
４２ｂ…ねじ孔
４３…ねじ部材
４３ａ…頭部
４４…頭部押え
４３ｘ…回転力入力端
４４ａ…開放窓
１０２…第１の係り合い部（前可動爪）
１０３…第２の係り合い部（後可動爪）
２０２，２０３…開口（スリット）
Ｘ…固定部（凹凸関連部）
【図１】
0005370955.tif 000002
【図２】
0005370955.tif 000003
【図３】
0005370955.tif 000004
【図４】
0005370955.tif 000005
【図５】
0005370955.tif 000006
【図６】
0005370955.tif 000007
【図７】
0005370955.tif 000008
【図８】
0005370955.tif 000009
【図９】
0005370955.tif 000010
【図１０】
0005370955.tif 000011
【図１１】
0005370955.tif 000012